(57)【要約】【課題】第１及び第２の用紙搬送路が搬送ローラ保持部材を挟んで間隔をおいて配列され、搬送ローラが一方の用紙搬送路側から他方の用紙搬送路側に押圧されている際においても良好な用紙搬送を行うことができるようにする。【解決手段】第２の用紙搬送路Ｗが不使用状態である際、スペーサ部材３３によって、第２の用紙搬送路を塞ぐ状態で搬送ローラ保持部材２３が支持される。第２の用紙搬送路を使用するオプションユニット１９が第２の用紙搬送路に連結されると、オプションユニットの連結によってスペーサ部材が第２の用紙搬送路から退避させられて、第２の用紙搬送路からスペーサ部材が退避した状態でオプションユニットが搬送ローラ保持部材を支持する。【選択図】      図１
2004231329.tif 000002
【特許請求の範囲】
【請求項１】
少なくとも第１及び第２の用紙搬送路を備え、該第１及び該第２の用紙搬送路を規定し、該第１及び該第２の用紙搬送路の間に配置された搬送ローラ保持部材に支持されて前記第１の用紙搬送路で記録用紙を搬送するための搬送ローラを有し、前記搬送ローラが前記第１の用紙搬送路側から前記第２の用紙搬送路側に押圧されている用紙搬送装置であって、
前記第２の用紙搬送路が不使用状態である際前記第２の用紙搬送路を塞ぐ状態で前記搬送ローラ保持部材を支持するスペーサ部材と、
前記第２の用紙搬送路を使用するオプションユニットが前記第２の用紙搬送路に連結されると前記オプションユニットの連結によって前記スペーサ部材を前記第２の用紙搬送路から退避させる退避機構とを有し、
前記第２の用紙搬送路から前記スペーサ部材が退避した状態で前記オプションユニットが前記搬送ローラ保持部材を支持するようにしたことを特徴とする用紙搬送装置。
【請求項２】
前記第１の用紙搬送路は前記記録用紙が積層された給紙装置から前記記録用紙が搬送される給紙経路であり、
前記搬送ローラは前記給紙装置から前記記録用紙を給送する給紙ローラであって、
前記給紙ローラは前記給紙装置に積層された記録用紙を前記給紙ローラ方向に押圧する付勢部材によって前記記録用紙に両面印刷を行う際に用いられる反転給紙経路である前記第２の用紙搬送経路側に押圧され、前記給紙経路及び前記反転給紙経路を選択的に前記記録用紙に画像形成を行う画像形成部に接続するようにしたことを特徴とする請求項１に記載の用紙搬送装置。
【請求項３】
前記オプションユニットは前記画像形成部でその片面に画像が形成された前記記録用紙を反転させて前記反転給紙経路に送る両面印刷ユニットであることを特徴とする請求項２に記載の用紙搬送装置。
【請求項４】
前記退避機構は、前記搬送ローラ保持部材に形成され前記スペーサ部材を収納する案内溝部と、
前記スペーサ部材を前記案内溝部から押し出して前記スペーサ部材で前記第２の用紙搬送路を塞ぐ状態とする付勢機構と、
前記オプションユニットで前記スペーサ部材が押圧されると前記案内溝部に前記スペーサ部材を案内して収納する案内機構とを有することを特徴とする請求項１に記載の用紙搬送装置。
【発明の詳細な説明】
【０００１】
【発明の属する技術分野】
本発明は、用紙搬送装置に関し、特に画像形成装置において、記録用紙の搬送の際紙詰まり等の発生を防止して良好な記録用紙の搬送を行うことのできる用紙搬送装置に関するものである。
【０００２】
一般に、複写機及びプリンター等の画像形成装置には、画像形成部において記録用紙（以下単に用紙と呼ぶ）の一面側（第１の面）に画像形成（印字）を行った後、両面印刷ユニット（用紙反転ユニット）によって画像形成済み用紙を反転して、再び用紙を画像形成部に搬送して、記録用紙の他面側（第２の面）に画像形成を行って、記録用紙の両面に画像を形成するようにした画像形成装置が知られている。
【０００３】
このような画像形成装置では、前述の両面印刷ユニットはオプションとして備えられ、両面印刷ユニットは画像形成装置に着脱自在となっている。つまり、両面印刷ユニットを装着した場合のみ、両面印刷が行えるようになる。
【０００４】
ここで、上述の画像形成装置について、図３を参照して説明すると、この画像形成装置は、画像形成部１１を有しており、この画像形成部１１には潜像担持体である感光体ドラム１１ａが備えられている。図示はしないが、帯電器によって感光体ドラム１１ａが帯電された後、露光ユニットによって画像データに応じて感光体ドラム１１ａが露光されて、感光体ドラム１１ａ上に静電潜像が形成される。その後、感光体ドラム１１ａ上の静電潜像は現像器によって現像されてトナー像とされる。
【０００５】
画像形成装置本体１０には用紙が収納された給紙カセット１６が着脱可能に装着されており、用紙は後述するように、バネ（図３には示さず）によって図中上側に付勢されている。給紙カセット１６に積載された用紙は給紙ローラ１６ａによって給紙カセット１６から給紙され、分離ローラ１６ｂ及びフィードローラ１６ｃ（これらローラは一種の搬送ローラである）によって、一枚ずつ給紙経路Ｕを通って搬送ローラ１６ｄに達し、搬送ローラ１６ｄによって用紙搬送経路Ｐを通って、レジストローラ（レジスト部）１６ｅに達し、ここで一旦保持される。
【０００６】
感光体ドラム１１ａの回転タイミングに合わせて、レジストローラ１６ｅが駆動されて、用紙が感光体ドラム１１ａと転写ローラ１７のニップ部に送られる。そして、感光体ドラム１１ａ上のトナー像が用紙上に転写されて転写像となる。その後、印刷済用紙は用紙搬送経路Ｐを通って定着ユニット（定着ローラ対）１８に送られ、ここで、用紙上の転写像が定着されることになる。
【０００７】
ところで、給紙カセット１６と画像形成部１１（つまり、用紙搬送経路Ｐ）との間には、両面印刷ユニット（用紙反転ユニット）１９が装着される挿入部１９１が図中左側から右側に向かって（つまり、画像形成装置の背面側から前面側に向かって）形成されており、両面印刷ユニット１９を挿入部１９１に挿入することによって、両面印刷ユニット１９が画像形成装置本体１０に装着される。そして、この両面印刷ユニット１９を画像形成装置本体１０に組み込めば、用紙に両面印刷を行うことができる。
【０００８】
画像形成装置本体１０には給紙経路Ｕに繋がる反転給紙経路Ｗが給紙経路Ｕの上側に形成されており、前述のようにして、両面印刷ユニット１９が挿入部１９１に挿入されると、両面印刷ユニット１９は反転給紙経路Ｗに繋がれることになる。
【０００９】
いま、前面パネル（図示せず）で片面プリントモードが選択されると、定着ユニット１８の後段に位置する経路切り替え部材（図示せず）が片面プリントモード位置となって、定着ユニット１８から送出された記録用紙は排紙経路Ｑを通って、画像形成装置本体１０の上面に形成された排紙トレイ１０ｂに排紙される。
【００１０】
一方、前面パネルで両面プリントモードが選択されると、経路切り替え部材が両面プリントモード位置となって、定着ユニット１８から送出された用紙は搬送経路Ｒを通って、両面印刷ユニット１９内に搬送される。この両面印刷ユニット１９は一面側に印字された用紙を反転させて反転用紙として、用紙の他面側に印字を行うために用いられる（つまり、両面印刷を行うために用いられる）。
【００１１】
用紙検知センサ１９ａによって用紙が検知されると、用紙反転ローラ１９ｂが実線矢印で示す方向に回転駆動されて、用紙は経路（以下反転経路と呼ぶ）Ｓに達する。用紙検知センサ１９ｄが記録用紙を検出すると、用紙反転ローラ１９ｂが破線矢印で示す方向に回転駆動されて、記録用紙が反転経路Ｓから送出されて、両面印刷ユニット１９内の経路（以下反転経路という）Ｔを通って搬送ローラ１９ｅによって搬送される。
【００１２】
反転経路Ｔには用紙検知センサ１９ｆが配置されており、用紙検知センサ１９ｆによって用紙が検知されると、給紙カセット１６からの給紙経路Ｕと反転給紙経路Ｗとの切り替えが行われて、反転給紙経路Ｗが用紙搬送経路Ｐに繋がって、両面印刷ユニット１９からの搬送された用紙が反転給紙経路Ｗを介して用紙搬送経路Ｐに用紙が供給される。そして、片面印刷が施された用紙はレジストローラ１６ｅに達する。
【００１３】
その後、前述したようにして、感光体ドラム１１ａ上のトナー像が記録用紙の他面に転写されて、定着ユニット１８で定着される。そして、片面プリントモード位置に復帰した経路切り替え部材によって、両面印刷がされた記録用紙が排紙経路Ｑを通って、画像形成装置本体の上面に形成された排紙トレイ１０ｂに排紙される。
【００１４】
なお、上述した経路Ｕ，Ｐ，Ｑ，Ｒ，Ｓ，Ｔ，及びＷは全て用紙搬送路を規定することになる。
【００１５】
ここで、図４を参照すると、給紙カセット１６には、用紙積載板１６１が備えられており、この用紙積載板１６１に用紙２１が積載されて、用紙積載板１６１は、給紙カセット１６の底面に備えられたバネ等の付勢部材２２によって上方に押圧されており、これによって、最上側に位置する用紙２１が給紙ローラ１６ａに押しつけられ、給紙ローラ１６ａは用紙２１を分離ローラ１６ｂ及びフィードローラ１６ｃに向かって給紙することになる。
【００１６】
前述の給紙ローラ１６ａは給紙ローラ保持部２３に回転可能に保持されており、この給紙ローラ保持部２３の上側には、前述の反転給紙経路Ｗが位置づけられている。
【００１７】
画像形成装置を小型化する必要上、給紙ローラ保持部２３の厚さ（図中上下方向の幅）は極めて薄く、前述のように、給紙ローラ１６ａが付勢部材２２によって押しつけられると、不可避的に給紙ローラ保持部２３が上方に撓むことになる。
【００１８】
図２に示すように、オプションユニットである両面印刷ユニット１９が挿入部１９１に装着されている際には（つまり、オプションユニットが装着されている際には）、両面印刷ユニット１９の先端部が給紙ローラ保持部２３に嵌合して、給紙ローラ１６ａに加わる押圧力を支持することになる結果、給紙ローラ保持部２３が上方に撓むことはほとんどない。
【００１９】
一方、給紙装置として、給紙カセット内のシート（用紙）残量が少なくなるに連れて、大きい負荷を給紙カセットの底板押上機構に加えて、底板押上機構（つまり、駆動モータ）に掛かる負荷を用紙残量の多少にかかわらず一定として、最上位の用紙のレベルを一定に保持し、用紙と給紙コロとの接触圧を所定の範囲として、給紙動作を安定に維持することが行われている（特許文献１参照）。
【００２０】
【特許文献１】
特公平４−１３２６１号公報（第３ページ〜第４ページ、第１図）
【００２１】
【発明が解決しようとする課題】
ここで、図５を参照すると、上述のような画像形成装置では、オプションユニットである両面印刷ユニット１９が装着されていない状態では、図５（ａ）に示すように、挿入部１９１が空洞状態となり、給紙ローラ１６ａが付勢部材２２によって押圧されると、給紙ローラ１６ａに加わる押圧力は全て給紙ローラ保持部２３で受けることになって、給紙ローラ保持部２３が極めて薄いことを考慮すると、前述のように、給紙ローラ保持部２３が上方に撓むことになる（図５（ｂ）参照）。これによって、反転給紙経路Ｗが狭まることになる。
【００２２】
一方、給紙ローラ保持部２３には、フィードローラ１６ｃが取り付けられており、給紙ローラ保持部２３が上方に撓むと、フィードローラ１６ｃも上方に押し上げられる（移動する）ことになって、不可避的にフィードローラ１６ｃと分離ローラ１６ｂとの間隔が広がってしまう。
【００２３】
このように、フィードローラ１６ｃと分離ローラ１６ｂとの間隔が広がると、給紙ローラ１６ａから送られた用紙２１が分離できず、複数枚の用紙２１が給紙経路Ｕに搬送されるという重送が発生するばかりでなく、この部分で用紙詰まり（つまり、用紙ジャム）が発生してしまい、用紙搬送を良好に行えなくなってしまう。
【００２４】
このような不具合は、給紙装置の部分で発生するばかりでなく、給紙経路Ｕ及び反転給紙経路Ｗのように用紙搬送路が二重となっている部分で、搬送ローラが用紙搬送路を分離する保持部材（例えば、給紙ローラ保持部）に支持されて、搬送ローラが一方の用紙搬送路側から他方の用紙搬送路側に押圧されるような場合にも発生する。
【００２５】
つまり、少なくとも第１及び第２の用紙搬送路を備え、第１及び第２の用紙搬送路を規定し第１及び第２の用紙搬送路の間に配置された保持部材に支持されて第１の用紙搬送路で記録用紙を搬送するための搬送ローラを有し、搬送ローラが第１の用紙搬送路側から第２の用紙搬送路側に押圧されている用紙搬送装置であれば、上述のような不具合が発生する。
【００２６】
一方、用紙と給紙コロとの接触圧を所定の範囲として、給紙動作を安定に維持することが行われているものの、両面印刷ユニットが着脱可能な画像形成装置のように、複数の用紙搬送路が間隔をおいて二重に配列されて、マルチパスを形成するような場合においては、搬送ローラ（給紙コロ）に加わる押圧力を一定としても、その保持部材が撓むことになって、用紙搬送を良好に行えなくなってしまう。
【００２７】
本発明の目的は、複数の用紙搬送路が保持部材を挟んで間隔をおいて二重に配列され、保持部材に搬送ローラが取り付けられ、搬送ローラが一方の用紙搬送路側から他方の用紙搬送路側に押圧されている際においても良好な用紙搬送を行うことのできる用紙搬送装置を提供することにある。
【００２８】
【課題を解決するための手段】
本発明によれば、少なくとも第１及び第２の用紙搬送路を備え、該第１及び該第２の用紙搬送路を規定し該第１及び該第２の用紙搬送路の間に配置された搬送ローラ保持部材に支持されて前記第１の用紙搬送路で記録用紙を搬送するための搬送ローラを有し、前記搬送ローラが前記第１の用紙搬送路側から前記第２の用紙搬送路側に押圧されている用紙搬送装置であって、前記第２の用紙搬送路が不使用状態である際前記第２の用紙搬送路を塞ぐ状態で前記搬送ローラ保持部材を支持するスペーサ部材と、前記第２の用紙搬送路を使用するオプションユニットが前記第２の用紙搬送路に連結されると前記オプションユニットの連結によって前記スペーサ部材を前記第２の用紙搬送路から退避させる退避機構とを有し、前記第２の用紙搬送路から前記スペーサ部材が退避した状態で前記オプションユニットが前記搬送ローラ保持部材を支持するようにしたことを特徴とする用紙搬送装置が得られる。
【００２９】
このように、第２の用紙搬送路が不使用状態である際、第２の用紙搬送路を塞ぐ状態で搬送ローラ保持部材をスペーサ部材で支持して、第２の用紙搬送路を使用するオプションユニットが第２の用紙搬送路に連結されると、オプションユニットの連結によってスペーサ部材を第２の用紙搬送路から退避させて、第２の用紙搬送路からスペーサ部材が退避した状態でオプションユニットが前記保持部材を支持するようにすれば、オプションユニットが装着されていない状態であっても、搬送ローラの押圧によって搬送ローラ保持部材が撓むことがなく、その結果、常に良好に搬送を行うことができることになる。
【００３０】
例えば、前記第１の用紙搬送路は前記記録用紙が積層された給紙装置から前記記録用紙が搬送される給紙経路であり、前記搬送ローラは前記給紙装置から前記記録用紙を給送する給紙ローラであって、前記給紙ローラは前記給紙装置に積層された記録用紙を前記給紙ローラ方向に押圧する付勢部材によって前記記録用紙に両面印刷を行う際に用いられる反転給紙経路である前記第２の用紙搬送経路側に押圧され、前記給紙経路及び前記反転給紙経路を選択的に前記記録用紙に画像形成を行う画像形成部に接続する。
【００３１】
また、例えば、前記オプションユニットは前記画像形成部でその片面に画像が形成された前記記録用紙を反転させて前記反転給紙経路に送る両面印刷ユニットである。
【００３２】
そして、前記退避機構は、前記搬送ローラ保持部材に形成され前記スペーサ部材を収納する案内溝部と、前記スペーサ部材を前記案内溝部から押し出して前記スペーサ部材で前記第２の用紙搬送路を塞ぐ状態とする付勢機構と、前記オプションユニットで前記スペーサ部材が押圧されると前記案内溝部に前記スペーサ部材を案内して収納する案内機構とを有している。
【００３３】
このようにして、退避機構として、搬送ローラ保持部材に形成されスペーサ部材を収納する案内溝部と、スペーサ部材を案内溝部から押し出してスペーサ部材で第２の用紙搬送路を塞ぐ状態とする付勢機構と、オプションユニットでスペーサ部材が押圧されると案内溝部にスペーサ部材を案内して収納する案内機構を用いるようにすれば、搬送ローラ保持部材に板金又は剛性の強い材料を用いる必要がなく、しかも剛性を向上させるために、搬送ローラ支持部材の厚みを厚くする必要もない。これによって、用紙搬送装置自体を軽量及び小型化できることになる。
【００３４】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００３５】
図１を参照して、ここで、両面印刷ユニットが着脱可能な画像形成装置で用いられる用紙搬送装置について説明するが、用紙搬送路が保持部材を挟んで間隔をおいて二重に配列されて、保持部材に搬送ローラが取り付けられ、搬送ローラが一方の用紙搬送路側から他方の用紙搬送路側に押圧されているような用紙搬送装置であれば、本発明を適用することができる。つまり、少なくとも第１及び第２の用紙搬送路を備え、第１及び第２の用紙搬送路を規定し第１及び第２の用紙搬送路の間に配置された保持部材に支持されて第１の用紙搬送路で記録用紙を搬送するための搬送ローラを有し、搬送ローラが第１の用紙搬送路側から第２の用紙搬送路側に押圧されている用紙搬送装置であれば、本発明を適用することができる。
【００３６】
図３で説明したように、ここでは、用紙搬送装置は、用紙搬送路である反転給紙経路（第２の用紙搬送路）Ｗ及び用紙搬送路である給紙経路（第１の用紙搬送路）Ｕを備えており、この給紙経路Ｕは給紙カセット１６に繋がり、反転給紙経路Ｗは両面印刷ユニット１９に繋がっている。なお、図１において、図４に示す構成要素と同一の構成要素には同一の参照番号を付す。
【００３７】
図１に示すように、給紙ローラ保持部（保持部材）２３には、図中反転給紙経路Ｗの方向に延びる案内溝部３１が形成されており、この案内溝部３１の側面（図中右側面）には圧縮バネ部材等の付勢部材（付勢機構）３２の一端が取り付けられ、この付勢部材３２の他端はスペーサ部材３３に取り付けられている。そして、付勢部材３２によって、スペーサ部材３３は図中左方向に押圧されている。
【００３８】
スペーサ部材３３にはクランク状の支持片（案内機構）３４が取り付けられており、この支持片３４はその一端（図１において右端）が回動自在に給紙ローラ保持部２３に支持されるとともに、その他端がピン部材３４ａ及び３４ｂによってスペーサ部材３３に取り付けられている。そして、スペーサ部材３３が、後述するように、付勢部材３２の押圧力に抗して図中右方向に押圧されると、支持片３４が右端を軸として回動して、スペーサ部材３３が案内溝部３１に収納される。
【００３９】
図１に示す状態は、オプションユニットである両面印刷ユニットが画像形成装置本体１０に装着されていない状態であり、この状態では、スペーサ部材３３は付勢部材３２によって左方向に押圧されて、その一部が案内溝部３１から飛び出した状態となって、反転給紙経路Ｗを塞いでいる。なお、スペーサ部材３３の上面と反転給紙経路Ｗの上内面との間には若干の隙間が形成されている。
【００４０】
図１に示す状態では、スペーサ部材３３の下面は給紙ローラ保持部２３に当接し、スペーサ部材３３の上面は反転給紙経路Ｗの上内面との間に若干の隙間をおいて対面している状態であり、図３で説明したように、付勢部材２２（図１には示さず）によって、給紙ローラ（搬送ローラ）１６ａが上方に押圧されても、スペーサ部材３３の上面が反転給紙経路Ｗの上内面が接触して、スペーサ部材３３によって給紙ローラ１６ａを押圧する力が支持されることなって、反転給紙経路Ｗが狭まることはほとんどない。つまり、給紙ローラ保持部２３が上方に撓むことがなく、その結果、分離ローラ１６ｂ及びフィードローラ１６ｃの間隔が広がることがなく、前述の用紙重送及び用紙ジャムが発生することが極めて少なくなる。
【００４１】
図２を参照して、オプションユニットである両面印刷ユニット１９を画像形成装置本体１０に装着すると、つまり、挿入部１９１に両面印刷ユニット１９を挿入すると、両面印刷ユニット１９の先端部によってスペーサ部材３３が付勢部材３２の付勢力に抗して図中右方向に押圧される（図２（ａ）参照）。これによって、支持片３４が右端を軸として回動して、スペーサ部材３３が案内溝部３１に収納された状態となって、反転給紙経路Ｗが開放される（図２（ｂ）参照）。
【００４２】
図２（ｂ）に示す状態では、両面印刷ユニット１９の先端部が給紙ローラ保持部２３に嵌合して、給紙ローラ１６ａに加わる押圧力を支持することになる結果、給紙ローラ保持部２３が上方に撓むことはほとんどなく、その結果、前述の用紙重送及び用紙ジャムが発生することがない。
【００４３】
このようにして、用紙搬送路が保持部材を挟んで間隔をおいて二重に配列されて、保持部材に搬送ローラが取り付けられ、搬送ローラが一方の用紙搬送路側から他方の用紙搬送路側に押圧されているような用紙搬送装置であれば、他方の用紙搬送路を使用しない状態では、スペーサ部材によって他方の用紙搬送路を塞いで、搬送ローラに加わる押圧力をスペーサ部材で支持して、保持部材が撓まないようにし、他方の用紙搬送路を使用する際には、オプションユニットが装着されると、オプションユニットによって保持部材を支持して保持部材が撓まないようにしたから、常に用紙搬送を良好に行えることになる。
【００４４】
【発明の効果】
以上説明したように、本発明では、第２の用紙搬送路が不使用状態である際、第２の用紙搬送路を塞ぐ状態で搬送ローラ保持部材をスペーサ部材で支持して、第２の用紙搬送路を使用するオプションユニットが第２の用紙搬送路に連結されると、オプションユニットの連結によってスペーサ部材を第２の用紙搬送路から退避させて、第２の用紙搬送路からスペーサ部材が退避した状態でオプションユニットが前記保持部材を支持するようにしたから、オプションユニットが装着されていない状態であっても、搬送ローラの押圧によって搬送ローラ保持部材が撓むことがなく、その結果、常に良好に搬送を行うことができるという効果がある。
【００４５】
本発明では、退避機構として、搬送ローラ保持部材に形成されスペーサ部材を収納する案内溝部と、スペーサ部材を案内溝部から押し出してスペーサ部材で第２の用紙搬送路を塞ぐ状態とする付勢機構と、オプションユニットでスペーサ部材が押圧されると案内溝部にスペーサ部材を案内して収納する案内機構を用いるようにしたから、搬送ローラ保持部材に板金又は剛性の強い材料を用いる必要がなく、しかも剛性を向上させるために、搬送ローラ支持部材の厚みを厚くする必要もない。従って、用紙搬送装置自体を軽量及び小型化できるという効果がある。
【図面の簡単な説明】
【図１】本発明による用紙搬送装置の一例をオプションユニット（両面印刷ユニット）が外された状態で示す概要図である。
【図２】本発明による用紙搬送装置の一例をオプションユニット（両面印刷ユニット）が装着された状態で示す概要図である。
【図３】両面印刷ユニットが装着された画像形成装置の一例の概略図である。
【図４】図３における給紙部分の拡大図である。
【図５】図４に示す給紙ローラ保持部の撓みを説明するための図であり、（ａ）は給紙ローラに作用する力を示す概要図、（ｂ）は給紙ローラ保持部の撓みを示す概要図である。
【符号の説明】
１０  画像形成装置本体
１１  画像形成部
１６  給紙カセット
１７  転写ローラ
１８  定着ユニット
１９  両面印刷ユニット（用紙反転ユニット）
３１  案内溝部
３２  付勢部材（圧縮バネ）
３３  スペーサ部材
３４  支持片
【図１】
2004231329.tif 000003
【図２】
2004231329.tif 000004
【図３】
2004231329.tif 000005
【図４】
2004231329.tif 000006
【図５】
2004231329.tif 000007